(57)【要約】【課題】使用されるオーディオ機器をも首掛けストラップに保持して簡便に使用できる首掛けヘッドホンを提案するものである。【解決手段】使用者の首に掛けることができる首掛けストラップの中間部左右に左右イヤホンのコードを固定し、コードを誘導した同首掛けストラップの下部に外部接続用接続ジャックを設け、この接続ジャックを介して前記左右イヤホンに電気的に接続されるオーディオ本体を機械的に着脱可能に接続ジャックに結合した首掛けヘッドホンを提案するものである。【選択図】図１
2005123853.tif 000002
【特許請求の範囲】
【請求項１】
使用者の首に掛けることができる首掛けストラップの中間部左右に左右イヤホンのコードを固定し、コードを誘導した同首掛けストラップの下部に外部接続用接続ジャックを設け、この接続ジャックを介して前記左右イヤホンに電気的に接続されるオーディオ本体を機械的に着脱可能に接続ジャックに結合したことを特徴とする首掛けヘッドホン。
【請求項２】
前記オーディオ本体は前記接続ジャックの先端部を挿入できる円筒状挿入孔が形成され、前記接続ジャックの円筒部周面には前記円筒状挿入孔の周面に形成される弧状長さの異なる一対のスロットに対応した一対の周面突起が設けられ、これらの周面突起によりオーディオ本体と左右イヤホンとの関係が特定されることを特徴とする請求項１記載の首掛けヘッドホン。
【請求項３】
前記円筒状挿入孔の内部には前記周面突起の切欠きに係合して半固定状態におくことができるクリック突起及び周面突起の回動を制限するストッパが形成されることを特徴とする請求項１記載の首掛けヘッドホン。
【発明の詳細な説明】
【技術分野】
【０００１】
本発明は携帯ヘッドホンに関し、特に首に掛けて帯行できるヘッドホンに関する。
【背景技術】
【０００２】
従来、パーソナル用ヘッドホンまたはイヤホンにあっては、無線プルートゥースを内臓した耳掛けイヤホンやバネ性のあるＵ字状部材を首に掛け、このＵ字状部材の下部にイヤホンコードを結合した構造が知られている。
【０００３】
しかしながら、これらの従来のパーソナル用ヘッドホンまたはイヤホンでは、ヘッドホンまたはイヤホンに用いるオーディオ本体は衣服ポケットに入れるか、または、別にネックレス紐に通して持ち運ぶ必要があり、簡便な使用状態ではなかった。
【特許文献１】特開平６−２１７３８９号公報
【特許文献２】特開平８−２５１６８４号公報
【非特許文献１】意匠登録第１１５０６２２号
【非特許文献２】意匠登録第８７８７１２号
【発明の開示】
【発明が解決しようとする課題】
【０００４】
本発明の目的は、以上に述べたような従来のパーソナル用ヘッドホンまたはイヤホンの現状に鑑み、使用されるオーディオ機器をも首掛けストラップに保持して簡便に使用できる首掛けヘッドホンを提案するものである。
【課題を解決するための手段】
【０００５】
この目的を達成するため、本発明は、使用者の首に掛けることができる首掛けストラップの中間部左右に左右イヤホンのコードを固定し、コードを誘導した同首掛けストラップの下部に外部接続用接続ジャックを設け、この接続ジャックを介して前記左右イヤホンに電気的に接続されるオーディオ本体を機械的に着脱可能に接続ジャックに結合した首掛けヘッドホンを提案するものである。
【発明の効果】
【０００６】
本発明によれば、ペンダント型に作るオーディオ本体を首掛けストラップに吊って帯行してイヤホンで音楽を聴取できるから、使い勝手のよい首掛けヘッドホンを得ることができる。
【発明を実施するための最良の形態】
【０００７】
後述する本発明の好ましい実施例の説明においては、
1）  前記オーディオ本体は前記接続ジャックの先端部を挿入できる円筒状挿入孔が形成され、前記接続ジャックの円筒部周面には前記円筒状挿入孔の周面に形成される弧状長さの異なる一対のスロットに対応した一対の周面突起が設けられ、これらの周面突起によりオーディオ本体と左右イヤホンとの関係が特定される構造、
2）  前記円筒状挿入孔の内部には前記周面突起の切欠きに係合して半固定状態におくことができるクリック突起及び周面突起の回動を制限するストッパが形成される構造
が提案される。
【実施例１】
【０００８】
以下、図１から図３について本発明の実施例の詳細を説明する。
図１は本発明による首掛けヘッドホンの全体を示し、使用者の首に掛けることができる首掛けストラップ１の中間部左右には左右イヤホン２Ｌ，２Ｒのコード２ａを固定してある。つまり、ユーザの身長などに応じて調節コマ３で長さを調節できる首掛けストラップ１の下部には前記コード２ａを誘導した外部接続用接続ジャック４が設けられる。
【０００９】
そして、この接続ジャック４は前記左右イヤホン２Ｌ，２Ｒに電気的に接続されるオーディオ本体５に機械的に着脱可能に結合され、同オーディオ本体５に予め内臓メモリに記憶される音楽またはメッセージなどのオーディオソースを左右イヤホン２Ｌ，２Ｒから聴取できる。
このオーディオ本体５の表面には＋音量ボタン６、−音量ボタン７、停止ボタン８が配置され、これらのボタンの操作により聴取状態がコントロールされる。
【００１０】
前記オーディオ本体５の上端部５ａには前記接続ジャック４の先端部４ａを挿入できる円筒状挿入孔９が形成され、同円筒状挿入孔９から内部に挿入される前記接続ジャック４の先端部４ａは、図示を省略するオーディオ本体５の内部のソケットに接触される。
また、前記接続ジャック４の円筒部４ｂの周面には前記円筒状挿入孔９の周面に形成される弧状長さＬ1，Ｌ2の異なる一対のスロット１０，１１に対応した一対の周面突起１２，１３が設けられ、これらの周面突起１２，１３によりオーディオ本体５と左右イヤホン２Ｌ，２Ｒとの関係が特定される。
【００１１】
つまり、弧状長さＬ1，Ｌ2の異なる一対のスロット１０，１１に対しては、対応した弧状長さの周面突起１２，１３しか同時に挿入できないから、オーディオ本体５に対する接続ジャック４の回転方向の位置関係が特定され、左右イヤホン２Ｌ，２Ｒの左右とオーディオ本体５の左右関係が特定される。
【００１２】
図２及び図３に拡大して示すように、前記オーディオ本体５の内部周面には周面突起１２，１３の切欠き１４に係合できるクリック突起１５が突起され、これらのクリック突起１５と切欠き１４との係合により、接続ジャック４に対してオーディオ本体５が回転方向に移動して脱落の原因となるのを防止できる。
【００１３】
さらに、オーディオ本体５の端壁内面には前記周面突起１２，１３の一定角度以上の回転を制限するストッパ１６が突起され、同ストッパ１６により周面突起１２，１３が係止されるとき、クリック突起１５と切欠き１４との係合によりオーディオ本体５と接続ジャック４との間のガタツキが防止される。
【００１４】
図示実施例による首掛けヘッドホンは、以上のような構造であるから、オーディオ本体５の円筒状挿入孔９に接続ジャック４の先端部４ａを挿入し、オーディオ本体５に対して接続ジャック４を僅かに回転させるだけで、左右イヤホン２Ｌ，２Ｒの左右を間違うことなく、接続ジャック４とオーディオ本体５を一体化できる。
このため、首掛けヘッドホンに小型のオーディオ本体５を懸吊しても、安定状態を保つことができるばかりでなく、接続ジャック４とオーディオ本体５が一体化するため、外観デザインが優れたものとなる。
【産業上の利用可能性】
【００１５】
なお、前記実施例の説明においては、音楽またはメッセージなどのオーディオソースをオーディオ本体５の内部に記憶させたものを例示したが、オーディオ本体５の内部に発信器を内蔵させ、首掛けヘッドホンを帯行する者の追跡や現在位置確認などの分析にも利用できる。
【図面の簡単な説明】
【００１６】
【図１】本発明による首掛けヘッドホンの全体図である。
【図２】同首掛けヘッドホンの接続ジャックとオーディオ本体との関係を示す要部拡大分解図である。
【図３】オーディオ本体と接続ジャックとの接続状態の説明図である。
【符号の説明】
【００１７】
１              首掛けストラップ
２Ｌ，２Ｒ      左右イヤホン
２ａ            コード
４              接続ジャック
４ａ            先端部
４ｂ            円筒部
５              オーディオ本体
９              円筒状挿入孔
１０，１１      スロット
１２，１３      周面突起
１４            切欠き
１５            クリック突起
１６            ストッパ
【図１】
2005123853.tif 000003
【図２】
2005123853.tif 000004
【図３】
2005123853.tif 000005